(57)【特許請求の範囲】
【請求項１】
框のパネル取付溝の溝底に当接する溝底当接部を有する本体部と、本体部の両側の上部から外側上方に向けて延出しパネルの縁部を室内外方向から保持する二つのパネル保持片とからなり、框のパネル取付溝内に取付けるものであり、両パネル保持片は、室内外方向に弾性変形自在であり、パネル取付溝の側壁に略垂直面で当接するものであり、且つ先端にシール受け部を有し、上端部の対向面に上側に向かって広がるように傾斜するテーパー面を有し、パネル取付溝内に取付けたときに両パネル保持片間の間隔がパネルの厚みより小さいことを特徴とするガスケット。
【発明の詳細な説明】
【技術分野】
【０００１】
本発明は、障子の框のパネル取付溝に取付けてガラス等のパネルの縁部を保持するガスケットに関する。
【背景技術】
【０００２】
図３は、従来のビル用サッシ引き違い障子の竪框部分の横断面図である。竪框９０は、内周側に開口したパネル取付溝９１を有し、パネル取付溝内にガラス等よりなるパネル９２の縁部を挿入し、パネルの両側とパネル取付溝の側壁との間の隙間にそれぞれバックアップ材９３，９３を装着し、バックアップ材の上からシール材９４，９４を充填してパネル取付溝の側壁とパネルの間の隙間をシールしている。このように、従来はパネルの両側にバックアップ材を取付ける必要があるため、パネル取付溝にパネルを保持するのに手間が掛かっていた。
【０００３】
住宅用サッシ等の障子では、断面Ｕ字形のグレージングチャンネルを介してパネルの縁部をパネル取付溝に保持し、シール作業を要しない構造も一般的である。しかしその場合は、上記のようにバックアップ材とシール材とでパネルを保持する構造と比較して、水密性や気密性、遮音性などの性能が劣る。また、グレージングチャンネルの一部が框内周側に露出するので、見栄えが悪い。
【発明の開示】
【発明が解決しようとする課題】
【０００４】
本発明は以上に述べた実情に鑑み、パネル取付溝にパネルを保持する際の施工性を向上できるガスケットの提供を目的とする。
【課題を解決するための手段】
【０００５】
上記の課題を達成するために本発明のガスケットは、框のパネル取付溝の溝底に当接する溝底当接部を有する本体部と、本体部の両側の上部から外側上方に向けて延出しパネルの縁部を室内外方向から保持する二つのパネル保持片とからなり、框のパネル取付溝内に取付けるものであり、両パネル保持片は、室内外方向に弾性変形自在であり、パネル取付溝の側壁に略垂直面で当接するものであり、且つ先端にシール受け部を有し、上端部の対向面に上側に向かって広がるように傾斜するテーパー面を有し、パネル取付溝内に取付けたときに両パネル保持片間の間隔がパネルの厚みより小さいことを特徴とする。
【発明の効果】
【０００６】
本発明のガスケットは、框のパネル取付溝に押し込むと、室内側と室外側の二つのパネル保持片が本体部との付け根から内側に大きく曲がり、互いの間隔が狭まる方向に弾性変形するため、パネル取付溝入口側の内向き突部に引っ掛かることもなく、パネル取付溝内に容易に挿入でき、挿入すると溝底当接部がパネル取付溝の溝底に当接し、両パネル保持片が弾力により復帰してパネル取付溝の側壁に略垂直面で当接するため、ガスケットのみでパネル取付溝内に安定して保持される。取付けたときに両パネル保持片間の間隔がパネルの厚みより小さいので、両パネル保持片間の間隔にパネルを差し込むだけで、パネル保持片の先端部が弾性変形してパネルの室内外面に圧接し、パネルを安定して保持できる。しかも両パネル保持片の上端部の対向面に上側に向かって広がるように傾斜するテーパー面を有しているので、パネル取付溝内に配置したガスケットに対してパネルを嵌め込み易い。さらに本発明のガスケットは、両パネル保持片の先端にシール受け部を有しているので、パネルの室内外面とパネル取付溝側壁との間にバックアップ材を別個に取付けることなく、パネル保持片の上からシール材を充填することが可能である。パネル取付溝内にガスケットを先に設置してからパネルを取付けることができるので、施工性が良好である。
【発明を実施するための最良の形態】
【０００７】
以下、本発明の実施の形態を図面に基づいて説明する。図２は、本発明の一実施形態に係るガスケット１０の横断面図であり、図１は、このガスケット１０を使用して障子の竪框１のパネル取付溝２にガラス製のパネル９を保持する際の手順を順に示す横断面図である。
【０００８】
本ガスケット１０は、塩化ビニル樹脂等の合成樹脂を押出成形して棒状に形成したものであり、図２に示すように、略逆Ｕ字形の本体部１１と、本体部１１の両側面の上部位置から上方に突出して設けた室内側パネル保持片５ａと室外側パネル保持片５ｂとを有している。本体部１１の下部は、框のパネル取付溝２の溝底３に当接する溝底当接部４となるものであり、本体部１１の上面は平坦に形成され、パネル９の小口面を受ける受け部１２となっている。
室内側パネル保持片５ａと室外側パネル保持片５ｂは、左右対称に形成してあり、室内側パネル保持片５ａの室内側にパネル取付溝の側壁７ａに当接する略垂直面となった室内側側壁当接部８ａを有し、室外側パネル保持片５ｂの室外側にパネル取付溝の側壁７ｂに当接する略垂直面となった室外側側壁当接部８ｂを有し、両側壁当接部８ａ，８ｂから本体部１１にかけて逆ハの字形に傾斜したテーパー面１３，１３を有している。両パネル保持片５ａ，５ｂの側壁当接部間８ａ，８ｂの間隔Ｂは、パネル取付溝２の側壁７ａ，７ｂ間の間隔よりも若干大きくしている。さらにパネル保持片５ａ，５ｂは、上端部に互いに接近する向きで突出する突出部１４，１４を有し、両突出部１４，１４の先端部には上側に向って広がるように傾斜したテーパー面１９，１９を有している。両パネル保持片５ａ，５ｂ間の間隔Ａは、パネル９の厚みよりも若干小さくしている。各パネル保持片５ａ，５ｂの先端には、シール受け部６が水平に設けてある。各パネル保持片５ａ，５ｂの内側面と本体部１１の上面との間には、下向きに断面三角形状に切れ込んだ溝部１５を設けてあり、これによりパネル保持片５ａ，５ｂが内側に向けて弾性変形しやすくしている。なお、両パネル保持片５ａ，５ｂは、図２に二点鎖線で示すように、パネル取付溝２に取付ける前の状態で、外側に広がり気味に形成しておくと、パネル取付溝２に取付けたときに、より安定して溝内に保持できる。
【０００９】
次に、図１に即して、本ガスケット１０を使用してパネル９を竪框１のパネル取付溝２に保持させる際の手順を説明する。ガスケット１０は、取付けるパネル９の上下方向寸法に合わせて切断した後、図１（ａ）に示すように、溝底当接部４を竪框１のパネル取付溝２の溝底３に向けた状態で、パネル取付溝２に押し込む。このとき、両パネル保持片５ａ，５ｂの下部側に逆ハの字形にテーパー面１３，１３を設けてあると共に、各パネル保持片５ａ，５ｂの内側面と本体部１１の上面との間に断面三角形状の溝部１５，１５を設けていることで、両パネル保持片５ａ，５ｂが根元から内側に大きく曲がるように弾性変形するため、パネル取付溝２入口側の内向き突部１６に引っ掛かることもなく、ガスケット１０をパネル取付溝２内に容易に挿入できる。
ガスケット１０をパネル取付溝２内にさらに押し込むと、図１（ｂ）に示すように、両パネル保持片５ａ，５ｂが弾力により復帰し、室内側側壁当接部８ａと室外側側壁当接部８ｂがパネル取付溝２の側壁７ａ，７ｂに当接すると共に、溝底当接部４がパネル取付溝２の溝底３に当接して、ガスケット１０がパネル取付溝２内に安定して保持される。このとき、両パネル保持片５ａ，５ｂ間の間隔Ａは、側壁当接部８ａ，８ｂがパネル取付溝２の側壁７ａ，７ｂに当接することにより、パネル取付溝２に取付ける前の状態よりも若干狭くなり、その間隔Ａがパネル９の厚みよりも確実に小さくなる。
次に、両パネル保持片５ａ，５ｂ間の間隔Ａにパネル９の縁部を押し込むと、図１（ｃ）に示すように、パネル保持片５ａ，５ｂの先端の突出部１４，１４が潰れてパネル９の室内側面と室外側面に圧接し、パネル９の小口面がガスケット本体部１１の受け部１２に当接して、パネル９の縁部がガスケット１０により弾力的に保持される。パネル９の縁部を両パネル保持片５ａ，５ｂ間の間隔Ａに押し込む際、両パネル保持片の先端部にテーパー面１９，１９が設けてあることで、パネル９の間隔Ａへの差し込みが容易に行える。パネル９の室内側と室外側のパネル取付溝２の入口部には、パネル保持片のシール受け部６，６により溝状の空間部１７，１７が形成されるので、バックアップ材を別個に取付けなくても、その空間部１７，１７にシール材１８，１８を充填してシールすることができ、これにより高い水密性、気密性が得られる。また、パネル９の両側面とパネル取付溝２の両側壁７ａ，７ｂとの間をパネル保持片５ａ，５ｂで弾性的に保持すると共に、パネル９の小口面とパネル取付溝２の溝底３の間にガスケットの本体部１１が介在していることで、遮音性が良好となる。
【００１０】
以上に述べたように、本ガスケット１０をパネル取付溝２に予め取付けておき、ガスケットの両パネル保持片５ａ，５ｂ間の間隔Ａにパネル９の縁部を押し込むだけで、簡単にしかも安定してパネル９を保持でき、尚且つパネル保持片の先端にシール受け部６，６を有しているので、バックアップ材を別個に取付けることなくシール材１８，１８を充填できるので、パネル９のパネル取付溝２への嵌め込み、及び固定作業が、極めて容易に行える。
【００１１】
本発明は以上に述べた実施形態に限定されない。ここでは、竪框用のものについて説明したが、上框や下框にも用いることができる。ガスケットの材質、パネル保持片や本体部の細かい形状等については、適宜変更して実施可能である。パネルの小口面を受ける受け部は必ずしも必要ではなく、パネル小口面とガスケット本体部との間に隙間ができるものであってもよい。
【図面の簡単な説明】
【００１２】
【図１】（ａ）は、ガスケットを竪框のパネル取付溝に押し込むときの状態を示す横断面図であり、（ｂ）は、ガスケットをパネル取付溝内に取付けた状態を示す横断面図であり、（ｃ）は、ガスケットのパネル保持片間にパネルを嵌め込んだ上でパネル取付溝開口部の隙間をシール材でシールした状態を示す横断面図である。
【図２】本発明のガスケットの一実施形態を示すガスケットの横断面図である。
【図３】従来のビル用サッシの障子の竪框部分の横断面図である。
【符号の説明】
【００１３】
１  竪框（框）
２  パネル取付溝
３  溝底
４  溝底当接部
５ａ  室内側パネル保持片
５ｂ  室外側パネル保持片
６  シール受け部
７ａ，７ｂ  パネル取付溝の側壁
８ａ  室内側側壁当接部
８ｂ  室外側側壁当接部
９  パネル
１０  ガスケット
Ａ  両パネル保持片間の間隔
【図１】
0004765112.tif 000002
【図２】
0004765112.tif 000003
【図３】
0004765112.tif 000004